(57)【要約】【課題】少ない個数でも高い防水効果を奏する防水壁を形成可能である上、運搬し易く、再利用可能であり、その上、耐久性があり、コンパクトに設計した場合でも防水壁が崩れる事態が生じない実用的な防水壁形成材料を提供する。【解決手段】止水ブロック材２は、合成樹脂によって直方体状に形成されたブロック本体３と、ブロック本体３に嵌合可能な錘部材１０とによって構成されている。そして、ブロック本体３の右側面には、係合突起４，４・・が設けられており、左側面には、係合凹部５，５・・が設けられている。また、ブロック本体３の上面には、錘部材１０を嵌合するための嵌合凹部８が形成されている。【選択図】図４
2008121378.tif 000002
【特許請求の範囲】
【請求項１】
水流を遮断する目的で水平方向に複数個並べて使用される止水ブロック材であって、
合成樹脂によって直方体状あるいは立方体状に形成されており、第一の側面に係合突起が設けられており、その第一の側面と対向する第二の側面に係合凹部が設けられているとともに、上面に嵌合凹部が形成されたブロック本体と、
前記ブロック本体の嵌合凹部に嵌合可能な錘部材とからなることを特徴とする止水ブロック材。
【請求項２】
第一の側面に設けられた係合突起が、第一の側面の上端から下端までの高さを有しており基端部分を先端部分より幅狭に形成してなる柱状体であるとともに、
第二の側面に設けられた係合凹部の空隙が、前記第一の側面に設けられた係合突起と同一形状になっていることを特徴とする請求項１に記載の止水ブロック材。
【請求項３】
ブロック本体の第一の側面と隣接した第三の側面に係合突起が設けられており、その第三の側面と対向する第四の側面に係合凹部が設けられていることを特徴とする請求項１、または請求項２に記載の止水ブロック材。
【請求項４】
第三の側面に設けられた係合突起が、第一の側面に設けられた係合突起と同一形状を有しているとともに、
第四の側面に設けられた係合凹部が、第二の側面に設けられた係合凹部と同一形状を有していることを特徴とする請求項３に記載の止水ブロック材。
【請求項５】
ブロック本体の上面および下面の同じ位置にピン挿通孔が穿設されていることを特徴とする請求項１〜４のいずれかに記載の止水ブロック材。
【発明の詳細な説明】
【技術分野】
【０００１】
本発明は、水流を遮断する防水壁を形成するための材料として用いることが可能な止水ブロック材に関するものである。
【背景技術】
【０００２】
従来より、大雨の際には、家屋への浸水を防止するために、土嚢を積み上げることによって防水壁が形成される。また、防水壁を形成可能な材料として、特許文献１の如く、石を切断することによって形成されており左右あるいは上下方向に組み付け可能なブロック構造体が知られている。かかるブロック構造体は、直方体状の本体の片側面および上面に係合突起が設けられているとともに、本体の他側面および下面に係合凹部が設けられている。そして、側面の係合突起を他のブロック構造体の側面の係合凹部に係合させることによって左右に組み付けることができ、上面の係合突起を他のブロック構造体の下面の係合凹部に係合させることによって上下に積み重ねることができるようになっている。
【０００３】
【特許文献１】特開２００５−５４５０９号公報
【発明の開示】
【発明が解決しようとする課題】
【０００４】
上記した従来の防水壁を形成可能な材料（以下、防水壁形成材料という）の内、土嚢は、再利用が困難であり、一度使用した後には廃棄しなければならない、という欠点がある。また、高い防水効果を発現させるためには、非常に多くのものを用意しなければならない、という不具合もある。一方、石によって形成されたブロック構造体は、重量が大きいため、運搬が困難である。また、石によって形成されるため、シンプルな構造の係合突起や係合凹部しか形成できないので、コンパクトに設計した場合には、水圧によって崩れる事態が起こり得る。
【０００５】
本発明の目的は、上記従来の防水壁形成材料の問題点を解消し、少ない個数でも高い防水効果を奏する防水壁を形成可能である上、運搬し易く、再利用可能であり、その上、耐久性があり、コンパクトに設計した場合でも防水壁が崩れる事態が生じない実用的な防水壁形成材料を提供することにある。
【課題を解決するための手段】
【０００６】
かかる本発明の内、請求項１に記載された発明は、水流を遮断する目的で水平方向に複数個並べて使用される止水ブロック材であって、合成樹脂によって直方体状あるいは立方体状に形成されており、第一の側面に係合突起が設けられており、その第一の側面と対向する第二の側面に係合凹部が設けられているとともに、上面に嵌合凹部が形成されたブロック本体と、前記ブロック本体の嵌合凹部に嵌合可能な錘部材とからなることを特徴とするものである。
【０００７】
請求項２に記載された発明は、請求項１に記載された発明において、第一の側面に設けられた係合突起が、第一の側面の上端から下端までの高さを有しており基端部分を先端部分より幅狭に形成してなる柱状体であるとともに、第二の側面に設けられた係合凹部の空隙が、前記第一の側面に設けられた係合突起と同一形状になっていることを特徴とするものである。
【０００８】
請求項３に記載された発明は、請求項１、または請求項２に記載された発明において、ブロック本体の第一の側面と隣接した第三の側面に係合突起が設けられており、その第三の側面と対向する第四の側面に係合凹部が設けられていることを特徴とするものである。
【０００９】
請求項４に記載された発明は、請求項３に記載された発明において、第三の側面に設けられた係合突起が、第一の側面に設けられた係合突起と同一形状を有しているとともに、第四の側面に設けられた係合凹部が、第二の側面に設けられた係合凹部と同一形状を有していることを特徴とするものである。
【００１０】
請求項５に記載された発明は、請求項１〜４のいずれかに記載された発明において、ブロック本体の上面および下面の同じ位置にピン挿通孔が穿設されていることを特徴とするものである。
【発明の効果】
【００１１】
請求項１に記載された止水ブロック材は、同一のものを複数用意して、ブロック本体の係合突起を他の止水ブロック材のブロック本体の係合凹部に係合させるとともに、ブロック本体の係合凹部に他の止水ブロック材のブロック本体の係合突起を係合させて、相互に組み合わせていくことにより、水平方向に安定した防水壁を形成することができる。そして、形成された防水壁を、水流を堰き止めるための堤防等として用いることにより、水圧力に対して安定した堰き止め効果を発揮することが可能となる。また、壁を形成する際に、結合材等を必要としないため、防水壁の形成作業が非常に容易である。さらに、使用後には、形成された防水壁を個々の止水ブロック材に容易に分解して再利用することができる。加えて、請求項１に記載された止水ブロック材は、合成樹脂製のブロック本体と金属製の錘部材とによって構成されているため、壁の形成時にはブロック本体と錘部材とを分けて容易に運搬することができる。
【００１２】
請求項２に記載された止水ブロック材は、係合突起の形状が、特定の形状を有する柱状体であるとともに、係合凹部の空隙が、第一の側面に設けられた係合突起と同一形状になっており、他の止水ブロック材と容易に結合させることができるため、短時間の内に素早く防水壁を形成することができる。また、他の止水ブロック材と高い密着度で強固に結合させることができるため、強度が高く水圧が高い場合でも水漏れしない防水壁を形成することが可能である。
【００１３】
請求項３に記載された止水ブロック材は、ブロック本体の隣接した２つの側面に係合突起が設けられているとともに、その他の側面に係合凹部が設けられているため、同一のものを複数用意することにより、同一平面内において、左右方向ばかりでなく前後方向にも組み付けることができる。それゆえ、請求項２に記載された止水ブロック材によれば、厚みがありきわめて高い水圧に耐え得る防水壁を形成することが可能となる。
【００１４】
請求項４に記載された止水ブロック材は、ブロック本体の隣接した２つの側面に設けられた係合突起が同一形状であるととともに、その他の側面に設けられた係合凹部が同一形状であり、他の止水ブロック材と組み付ける際に、互いに直交するように組み付けることができるため、壁を形成するときの自由度が大きい。
【００１５】
請求項５に記載された止水ブロック材は、ブロック本体の上面および下面の同じ位置にピン挿通孔が穿設されているため、同一のものを複数用意して上下方向に積層する際に、下側に位置した止水ブロック材の上面のピン挿通孔にピン（固定ピン）を挿通させるとともに、そのピンを上側の止水ブロック材の下面のピン挿通孔に挿通させることによって、上下の位置がずれないように強固に固定することができる。
【発明を実施するための最良の形態】
【００１６】
以下、本発明に係る止水ブロック材の一実施形態について、図面に基づいて詳細に説明する。図１〜３は、それぞれ、止水ブロック材の平面、正面、右側面を示したものであり、図４は、止水ブロック材の分解斜視図である。止水ブロック材２は、ブロック本体３と、錘部材１０とによって構成されている。
【００１７】
ブロック本体３は、硬質の合成樹脂（合成ゴム）によって一体的に形成されており、約１０ｋｇの重量を有している。そして、幅×奥行き×高さ＝４００ｍｍ×４５０ｍｍ×３００ｍｍの大きさの直方体状に形成されたベース部分７の右側面（第一の側面）に、３個の係合突起４，４，４が等間隔で設けられており、ベース部分７の左側面（第二の側面）に、３個の係合凹部５，５，５が等間隔で設けられている。なお、右側面における各係合突起４，４，４同士の間隔は、左側面における各係合凹部５，５，５同士の間隔と同じになっている。
【００１８】
右側面に設けられた各係合突起４，４・・は、ベース部分７の上面から下面までの高さを有する柱状体であり、楕円柱状の先端部分４ａと、その先端部分４ａより幅狭な角柱状の基端部分４ｂとを有している。なお、各係合突起４，４・・の長さ（基端から先端までの距離）は、約８０ｍｍである。一方、左側面に設けられた各係合凹部５，５，５は、ベース部分７の上面から下面まで貫通したアリ溝状（面取りされたアリ溝状）のスリットであり、左側面に近い先端部分の幅の方が左側面から遠い基端部分の幅よりも広くなっている。そして、各係合凹部５，５，５の空隙の形状は、右側面に設けられた各係合突起４，４・・の形状と同一になっている。
【００１９】
また、ベース部分７の正面（第三の側面）には、右側面に設けられた係合突起４，４，４と同一形状の２個の係合突起４，４が等間隔で設けられており、ベース部分７の背面（第四の側面）には、左側面に設けられた係合凹部５，５，５と同一形状の２個の係合凹部５，５が等間隔で設けられている。なお、正面における各係合突起４，４同士の間隔は、背面における各係合凹部５，５同士の間隔と同じになっている。
【００２０】
さらに、ベース部分７の上面の四隅際には、４個のピン挿通孔６，６・・が穿設されている。各ピン挿通孔６，６・・は、２０ｍｍφの円柱状の孔であり、約１００ｍｍの深さを有している。また、ベース部分７の下面の四隅際（ベース部分７の上面に穿設されたピン挿通孔６，６・・の真下）にも、ベース部分７の上面に穿設されたピン挿通孔６，６・・と同一形状を有する４個のピン挿通孔６，６・・が穿設されている。
【００２１】
さらに、ベース部分７の上面の略中央には、幅×奥行き×深さ＝１８０ｍｍ×２１０ｍｍ×１５０ｍｍの大きさを有する直方体状の嵌合凹部８が形成されている。また、その嵌合凹部８の前後の側面には、それぞれ、ブロック本体２を運搬するときに利用する半円柱状の把持用窪み９，９が設けられている。
【００２２】
一方、錘部材１０は、金属（鋳鉄）によって、ベース部分７の上面に設けられた嵌合凹部８と略同一の大きさを有する直方体状に形成されており、約２５ｋｇの重量を有している。そして、上面の略中央には、直方体状の把持用凹部１５が形成されており、その把持用凹部１５の前後に跨るように把手１４が設けられている。
【００２３】
上記の如く構成された止水ブロック材２を使用する場合には、同一のものを複数用意して、ブロック本体３の右側面の係合突起４，４，４を他の止水ブロック材２のブロック本体３の左側面の係合凹部５，５，５に係合させるとともに、ブロック本体３の左側の係合凹部５，５，５に他の止水ブロック材２のブロック本体３の係合突起４，４，４を係合させることにより、複数の止水ブロック材２，２・・を横方向に相互に組み合わせる。図５は、止水ブロック材２，２・・を横方向に相互に組み合わせた状態を示したものであり、そのように止水ブロック材２，２・・を横方向に組み合わせることによって、所定の高さ（３００ｍｍ）の防水壁を形成することが可能となる。また、そのように横並びした各止水ブロック材２，２・・の上面の各嵌合凹部８，８・・内に錘部材１０を嵌め込むことによって、形成された防水壁は、重量が増すことにより、より高い水圧に耐え得る頑丈なものとなる。
【００２４】
なお、止水ブロック材２は、ブロック本体３の右側面および正面に係合突起４，４，４が設けられており、ブロック本体３の左側面および背面に係合凹部５、５，５が設けられているので、複数のものを幅方向あるいは奥行き方向に組み付けることができる。また、ブロック本体３の右側面の係合突起４，４，４と正面の係合突起４，４とが同一の形状であり、ブロック本体３の左側面の係合凹部５、５，５と背面の係合凹部５、５とが同一の形状であるので、直交する方向に組み付ける（すなわち、左側面の係合凹部５、５，５に正面の係合突起４，４を嵌め込むように組み付ける）ことも可能である。
【００２５】
また、止水ブロック材２を上下に積み重ねることによって、より高い防水壁を形成することも可能である。そのように高い防水壁を形成する場合には、図６の如く、下側に位置した各止水ブロック材２，２・・の上面の各ピン挿通孔６，６・・に、それぞれ固定ピンを挿通させるとともに、それらの固定ピンを上側の各止水ブロック材２，２・・の下面の各ピン挿通孔６，６・・に挿通させることによって、各止水ブロック材２，２を上下に積み重ねる。なお、そのように止水ブロック材２，２・・を上下に積み重ねる場合には、止水ブロック材２の上面のピン挿通孔６と略同一径でピン挿通孔の深さの２倍よりやや短い固定ピンを用いるのが好ましい。
【００２６】
さらに、上側の止水ブロック材２と下側の止水ブロック材２との間に、長尺状の遮水シート（ブロック本体より剛性の低い塩化ビニル等により形成された透明なシート）を介在させることによって、より漏水しにくい防水壁を形成することも可能である。そのような耐漏水性の高い防水壁を形成する場合には、下側に位置した各止水ブロック材２，２・・の上面に長尺状の遮水シート（止水ブロック材２の幅あるいは奥行きと同一の幅以上の一定幅に切断されたもの）を敷設する。そして、各止水ブロック材２，２・・の上面に穿設された各ピン挿通孔６，６・・の位置に合わせて、遮水シートに同一径の孔を穿設する。しかる後、図７の如く、下側に位置した止水ブロック材２，２・・の上面のピン挿通孔６，６・・および遮水シート１２のピン挿通孔１３，１３・・に固定ピン１１，１１・・を挿通させるとともに、それらの固定ピン１１，１１・・を上側の止水ブロック材２，２・・の下面のピン挿通孔６，６・・に挿通させるようにして、下側の止水ブロック材２，２・・の上に止水ブロック材２，２・・を積み重ねる。なお、下側の各止水ブロック材２，２・・と設置面との間に、長尺状の遮水シート１２を介在させると、防水壁の耐漏水性が一段と向上するので好ましい。図８は、上下の止水ブロック材２，２・・の間に長尺状の遮水シート１２を介在させる方法により防水壁を形成した様子を示す説明図である。また、上下の止水ブロック材２，２・・の間、および下側の各止水ブロック材２，２・・と設置面との間に長尺状の遮水シート１２，１２を介在させる方法を採用して、図９の如く、止水ブロック材２，２・・を周状に組み付けることにより、子供用のプールや一時的な貯水池を形成することも可能である。
【００２７】
加えて、家屋の門戸（シャッターの間口等）にフィットするように防水壁を形成したい場合には、所定の寸法（すなわち、門戸の内側の片端から並べた止水ブロック材２，２・・の端縁の位置において門戸内に丁度嵌り込む寸法）に切断した止水ブロック材を、予め用意しておく必要がある。また、そのように家屋の門戸（シャッターの間口等）にフィットする防水壁を形成する場合には、下側の各止水ブロック材２，２・・と設置面との間のみならず、横方向に並べられた止水ブロック材２，２・・の端縁と門戸の内側面との間にも長尺状の遮水シートを介在させると、防水壁の耐漏水性が一段と向上するので好ましい。図１０は、家屋の門戸にフィットするような防水壁を形成した様子を示す説明図であり、所定の寸法に切断されたカットブロック材１６，１６が門戸の内側面と隣接した状態になっている。
【００２８】
止水ブロック材２は、上記の如く、合成樹脂によって直方体状に形成されており、右側面に係合突起４，４，４が設けられており、左側面に係合凹部５，５，５が設けられているとともに、上面に嵌合凹部８が形成されたブロック本体３と、ブロック本体３の嵌合凹部８に嵌合可能な錘部材１０とからなるものである。したがって、同一のものを複数用意して、ブロック本体３の係合突起４，４，４を他の止水ブロック材のブロック本体３の係合凹部５，５，５に係合させるとともに、ブロック本体３の係合凹部５，５，５に他の止水ブロック材２のブロック本体３の係合突起４，４，４を係合させて、相互に組み合わせることにより、水平方向に安定した防水壁を形成することができる。そして、形成された防水壁を、水流を堰き止めるための堤防等として用いることにより、水圧力に対して安定した堰き止め効果を発揮することが可能となる。したがって、大雨の際に、低地にある家屋、店舗、オフィスビル等の建造物（特に、道路よりも低い位置に入り口がある建造物）への浸水を効果的に防止することが可能となる。また、防水壁を形成する際に、結合材等を必要としないため、防水壁の形成作業が非常に容易である。さらに、使用後には、形成された防水壁を個々の止水ブロック材２，２・・に容易に分解して再利用することができる。加えて、止水ブロック材２は、合成樹脂製のブロック本体３と金属製の錘部材１０とによって構成されているため、防水壁の形成時にはブロック本体３と錘部材１０とを分けて容易に運搬することができる。
【００２９】
また、止水ブロック材２は、右側面に設けられた係合突起４，４，４が、右側面の上端から下端までの高さを有しており基端部分を先端部分より幅狭に形成してなる柱状体であるとともに、左側面に設けられた係合凹部５，５，５の空隙が、右側面に設けられた係合突起４，４，４と同一形状になっている。したがって、他の止水ブロック材２，２・・と容易に結合させることができるため、短時間の内に素早く壁を形成することができる。また、他の止水ブロック材２，２・・と高い密着度で強固に結合させることができるため、強度が高く水圧が高い場合でも水漏れしない防水壁を形成することが可能である。
【００３０】
さらに、止水ブロック材２は、ブロック本体３の正面に係合突起４，４が設けられており、背面に係合凹部５，５が設けられているため、同一のものを複数用意することにより、同一平面内において、左右方向ばかりでなく前後方向にも組み付けることができる。それゆえ、止水ブロック材２によれば、厚みがありきわめて高い水圧に耐え得る防水壁を形成することが可能となる。
【００３１】
加えて、止水ブロック材２は、ブロック本体３の右側面および正面に設けられた係合突起４，４・・が同一形状であるととともに、左側面および背面に設けられた係合凹部５，５・・が同一形状であり、他の止水ブロック材２，２・・と組み付ける際に、互いに直交するように組み付けることができるため、防水壁を形成するときの自由度が大きい。
【００３２】
また、止水ブロック材２は、ブロック本体３の上面および下面の同じ位置にピン挿通孔６，６・・が穿設されているため、同一のものを複数用意して上下方向に積層する際に、下側に位置した止水ブロック材２，２・・の上面のピン挿通孔６，６・・に固定ピン１１，１１・・を挿通させるとともに、それらの固定ピン１１を上側の止水ブロック材２，２・・の下面のピン挿通孔６，６・・に挿通させることによって、上下の位置がずれないように強固に固定することができる。
【００３３】
なお、本発明の止水ブロック材の構成は、上記実施形態の態様に何ら限定されるものではなく、ブロック本体、錘部材等の形状、構造、大きさ等の構成を、本発明の趣旨を逸脱しない範囲で、必要に応じて適宜変更することができる。
【００３４】
たとえば、錘部材は必ずしも鋳鉄によって形成されたものに限定されず、砂や水を収納可能な合成樹脂製の容器等に変更することも可能である。また、ブロック本体は、片側面に３個の係合突起を形成し、他側面に３個の係合凹部を形成したものや、正面に２個の係合突起を形成し、背面に２個の係合凹部を形成したものに限定されず、片側面および／または正面に設ける係合突起の個数や、他側面および／または背面に設ける係合凹部の個数を必要に応じて適宜変更することができる。また、係合突起や係合凹部の形状も必要に応じて適宜変更することが可能である。
【産業上の利用可能性】
【００３５】
本発明の止水ブロック材は、上記の如く優れた効果を奏するものであるので、防水壁形成用材料として好適に用いることができる。
【図面の簡単な説明】
【００３６】
【図１】止水ブロック材の平面図である。
【図２】止水ブロック材の右側面図である。
【図３】止水ブロック材の正面図である。
【図４】止水ブロック材の分解斜視図である。
【図５】複数の止水ブロック材を横方向に組み付けた状態を示す説明図である。
【図６】複数の止水ブロック材を上下方向に積み重ねた状態を示す説明図（図１におけるＡ−Ａ線断面図）である。
【図７】遮水シートを介在させて複数の止水ブロック材を横方向および上下方向に組み付けた状態を示す説明図（図１におけるＡ−Ａ線断面図）である。
【図８】複数の止水ブロック材を横方向および上下方向に組み付けた状態を示す説明図である。
【図９】複数の止水ブロック材を周状に組み付けた状態を示す説明図である。
【図１０】複数の止水ブロック材を門戸の内側に設置した状態を示す説明図である。
【符号の説明】
【００３７】
２・・止水ブロック材、３・・ブロック本体、４・・係合突起、５・・係合凹部、６・・ピン挿通孔、８・・嵌合凹部、１０・・錘部材。
【図１】
2008121378.tif 000003
【図２】
2008121378.tif 000004
【図３】
2008121378.tif 000005
【図４】
2008121378.tif 000006
【図５】
2008121378.tif 000007
【図６】
2008121378.tif 000008
【図７】
2008121378.tif 000009
【図８】
2008121378.tif 000010
【図９】
2008121378.tif 000011
【図１０】
2008121378.tif 000012